(57)【要約】      （修正有）【課題】分包後線引可能かつ簡素な分包帯線引装置を提供する。【解決手段】分包帯線引装置１０に、基台部１１の上面に装備されていて分包帯の長手方向送りを案内する案内板部１２と、その上方で分包帯の浮き上がりを規制する押さえ部１３と、着色用筆記具３０を遊挿保持する筆記具遊挿部１４と、外周面下端部の摩擦で分包帯を牽引する牽引輪部１５とを設ける。また、筆記具遊挿部１４の下部を分包帯の送り方向へ寄せた状態で筆記具遊挿部１４を傾けておく。さらに、牽引輪部１５の下方と筆記具遊挿部１４の中心線１４ａの下方には案内板部１２が存在しないようにしておく。また、着色用筆記具３０の下側の肩部３２が案内板部１２に当接して着色用筆記具３０の筆先部３１が基台部１１から離れるようにする。【選択図】図１
2017121960.tif 000002
【特許請求の範囲】
【請求項１】
基台部の上面に装備されていて分包帯の長手方向送りを案内する案内板部と、前記案内板部の上方に設けられていて前記分包帯の浮き上がりを規制する押さえ部と、前記分包帯の上面に色付けするための着色用筆記具を抜き差し自在な遊挿状態で保持する筆記具遊挿部と、前記分包帯の送り方向で前記筆記具遊挿部より前方に設けられていて回転時に外周面の下端部の摩擦で前記分包帯を牽引する牽引輪部とを備えている分包帯線引装置。
【請求項２】
前記筆記具遊挿部が上部を前記分包帯の送り方向で後方に寄せるとともに下部を前記分包帯の送り方向で前方に寄せた傾斜状態で傾いていることを特徴とする請求項１記載の分包帯線引装置。
【請求項３】
前記案内板部が前記牽引輪部の下方では欠けており、この欠けている所に前記筆記具遊挿部の中心線の下方延長線が当たるようになっていることを特徴とする請求項２記載の分包帯線引装置。
【請求項４】
前記着色用筆記具を前記筆記具遊挿部に遊挿させたときに前記着色用筆記具の下側の肩部が前記案内板部に当接して前記着色用筆記具の筆先部が前記基台部から離れた状態を維持するようになっていることを特徴とする請求項３記載の分包帯線引装置。
【発明の詳細な説明】
【技術分野】
【０００１】
この発明は、薬剤を区分封入した後の分包帯に対して線引きを行うための分包帯線引装置に関する。
【背景技術】
【０００２】
錠剤や散薬を長尺の分包帯に区分封入する薬剤分包機は（例えば特許文献１参照）、基本機能である分包形成を行うために、分包帯の送り経路に沿って分包帯の送出機構と薬剤の投入機構と分包帯の加熱シール機構と分包帯の牽引機構とを具備している。更に、そのような薬剤分包機のうち多くのものが、分包帯の送り経路に臨む印刷機構をも具備していて、各分包に患者名や服用情報を印刷するようになっている。
【０００３】
印刷される服用情報の代表的なものに朝・昼・夕・夜といった服用時期があり、印刷機構を装備した薬剤分包機のなかには、服用時期を文字で印刷するものの他、文字に加えて或いは文字に代えて、服用時期を色違いの着色線で描き分けるものもある。
また、薬剤師等がカラーペン等の着色用筆記具を用いて手作業で分包帯に線引きするのを支援するために、溝などのガイドラインを定規や係合蓋などに形成したものもある。
【先行技術文献】
【特許文献】
【０００４】
【特許文献１】特開２００６−３２１５１６号公報
【発明の概要】
【発明が解決しようとする課題】
【０００５】
このような色分け線引きは視認性に優れるため誤飲防止や利便性の観点から薬局や病院で利用されているが、線引き装置を組み込んだ薬剤分包機にて自動で線引きする謂わば分包時自動線引方式と、薬剤分包機から分包後に取り出した分包帯に人手で線引きする謂わば分包後手動線引方式とには、一長一短がある。
具体的には、能率面では分包時自動線引方式の方が分包後手動線引方式より良く、ひいては人件費の面でも分包時自動線引方式の方が分包後手動線引方式より良いと言えるが、設備費の面では分包時自動線引方式より分包後手動線引方式の方が良いと言える。
【０００６】
また、自由度の面では、例えば、病室や薬局で分包帯を患者等に渡そうとしたときや渡した後で色分け線引きを希望されたという局面や、線引き可能な薬剤分包機が空いていなかったり稼動していないという局面では、分包後手動線引方式なら制約無く行えるので、この面でも分包時自動線引方式より分包後手動線引方式の方がより良いと言える。
このため、自動線引きが可能な場合にはそれが優先的に行われるが、そうでない場合の色分け線引きは、専ら、分包後手動線引方式で行われる。
【０００７】
しかしながら、この分包後手動線引方式には上述したように能率や人件費の点で不満があるので、その点を改善することが求められる。具体的には、線引き作業の能率を向上させるために或る程度の自動化は進めるが、その際、自由度の高い分包後線引の機能を維持したうえで、設備費をできるだけ抑えることが、求められる。
そこで、分包後線引可能かつ簡素な分包帯線引装置を実現することが課題となる。
【課題を解決するための手段】
【０００８】
本発明の分包帯線引装置は（解決手段１）、このような課題を解決するために創案されたものであり、基台部の上面に装備されていて分包帯の長手方向送りを案内する案内板部と、前記案内板部の上方に設けられていて前記分包帯の浮き上がりを規制する押さえ部と、前記分包帯の上面に色付けするための着色用筆記具を抜き差し自在な遊挿状態で保持する筆記具遊挿部と、前記分包帯の送り方向で前記筆記具遊挿部より前方に設けられていて回転時に外周面の下端部の摩擦で前記分包帯を牽引する牽引輪部とを備えている。
【０００９】
また、本発明の分包帯線引装置は（解決手段２）、上記解決手段１の分包帯線引装置であって、前記筆記具遊挿部が上部を前記分包帯の送り方向で後方に寄せるとともに下部を前記分包帯の送り方向で前方に寄せた傾斜状態で傾いていることを特徴とする。
【００１０】
さらに、本発明の分包帯線引装置は（解決手段３）、上記解決手段２の分包帯線引装置であって、前記案内板部が前記牽引輪部の下方では欠けており、この欠けている所に前記筆記具遊挿部の中心線の下方延長線が当たるようになっていることを特徴とする。
【００１１】
また、本発明の分包帯線引装置は（解決手段４）、上記解決手段３の分包帯線引装置であって、前記着色用筆記具を前記筆記具遊挿部に遊挿させたときに前記着色用筆記具の下側の肩部が前記案内板部に当接して前記着色用筆記具の筆先部が前記基台部から離れた状態を維持するようになっていることを特徴とする。
【発明の効果】
【００１２】
このような本発明の分包帯線引装置にあっては（解決手段１）、線引き対象の分包帯を案内板部に乗せるとともに押さえ部と牽引輪部の下に潜らせてから長手方向送り方向に延ばし、それから筆記具遊挿部に所望の色の着色用筆記具を保持させて牽引輪部を回転させると、分包帯が長手方向へ送られ、それに随伴して相対移動する着色用筆記具により分包帯に色つきの線が引かれる。また、途中で色を変えたいときには、分包帯のうち線引き前の部分を摘まむと牽引輪部が空回りして分包帯の送りがゆっくりになったり止まったりするので、適宜なタイミングで着色用筆記具を差し替えてから分包帯を手放すと、線引きが再開される。このような分包帯線引装置は、開始や色替えは手動であるが線引きは自動で能率良く行える半自動のものとなっている。しかも、分包動作に束縛されないので、簡素化できるうえ、分包前はもとより分包後でも分包帯に線を引くことができる。
したがって、この発明によれば、分包後線引可能かつ簡素な分包帯線引装置を実現することができる。
【００１３】
また、本発明の分包帯線引装置にあっては（解決手段２）、筆記具遊挿部の傾きにほぼ倣って着色用筆記具も傾くので、而もその傾斜は分包帯の送り方向に沿うものなので、着色用筆記具が筆記具遊挿部に固く固定されずに遊挿状態で緩く保持されていることとも相まって、分包帯が移動しても着色用筆記具が跳ね難くてその姿勢が安定し続けるとともに着色用筆記具が分包帯に突き刺さり難くて両者の相対移動が滑らかに行われる。
したがって、この発明によれば、分包後線引可能かつ簡素な分包帯線引装置であって線引きが安定かつ円滑に行えるものを実現することができる。
【００１４】
さらに、本発明の分包帯線引装置にあっては（解決手段３）、筆記具遊挿部の中心線の下方延長線が当たる所が着色用筆記具の筆先部にほぼ一致することと、牽引輪部の外周面の下端部が分包帯を上から押さえて引っ張ることとに基づき、それらの部位には案内板部が無いようにしたことにより、それらの部位には長手方向送り時の分包帯が接触しない又は接触し難いので、例え分包帯の無いときに着色用筆記具の筆先部が基台部の上面等に触れて色が着いたとしても、その着色部位と分包帯とが擦れ合うことがほとんどないため、簡便ではあるが不所望な色移りを良く回避することができる。
したがって、この発明によれば、分包後線引可能かつ簡素な分包帯線引装置であって線引きが安定かつ円滑に行えるうえ不所望な色移りの少ないものを実現することができる。
【００１５】
また、本発明の分包帯線引装置にあっては（解決手段４）、分包帯の無いときに着色用筆記具が筆記具遊挿部に保持されていたとしても、そのときには着色用筆記具の肩部が案内板部に当接して着色用筆記具の筆先部が基台部から離れた状態を維持することから、基台部の上面であって分包帯の長手方向送り経路の下方に位置する部位に不所望な着色がなされることが無い。そのため、簡便ではあるが不所望な色移りを確実に回避することができる。
したがって、この発明によれば、分包後線引可能かつ簡素な分包帯線引装置であって線引きが安定かつ円滑に行えるうえ不所望な色移りの無いものを実現することができる。
【図面の簡単な説明】
【００１６】
【図１】本発明の実施例１について、分包帯線引装置の構造を示し、（ａ）が平面図、（ｂ）が正面図、（ｃ）がＡ−Ａ断面図、（ｄ）が左側面図、（ｅ）が右側面図である。
【図２】分包帯線引装置の使用に備えて牽引輪部を上げた状態を示し、（ａ）が平面図、（ｂ）が縦断面図である。
【図３】分包帯線引装置に分包帯をセットした状態を示し、（ａ）が平面図、（ｂ）が縦断面図である。
【図４】牽引輪部を下げて分包帯を挟んだ状態を示し、（ａ）が平面図、（ｂ）が縦断面図である。
【図５】筆記具遊挿部に着色用筆記具を遊挿して筆先部を分包帯の上に載せた状態を示す縦断面図である。
【図６】牽引輪部を回転させて分包帯を長手方向へ送ることで分包帯に線引きしている状態を示し、（ａ）が平面図、（ｂ）が縦断面図、（ｃ）が縦断面の要部拡大図、（ｄ）が分包帯を送り出した後の状態を示す縦断面の要部拡大図である。
【発明を実施するための形態】
【００１７】
このような本発明の分包帯線引装置について、これを実施するための具体的な形態を、以下の実施例１により説明する。
図１〜６に示した実施例１は、上述した解決手段１〜４（出願当初の請求項１〜４）を総て具現化したものである。
なお、それらの図示に際しては、簡明化等のため、ボルト等の締結具や，電動モータ等の駆動源，タイミングベルト等の伝動部材，電気回路などは図示を割愛し、発明の説明に必要なものや関連するものを中心に図示した。
【実施例１】
【００１８】
本発明の分包帯線引装置の実施例１について、その具体的な構成を、図面を引用して説明する。図１は、分包帯線引装置１０の構造を示し、（ａ）が平面図、（ｂ）が正面図、（ｃ）がＡ−Ａ断面図、（ｄ）が左側面図、（ｅ）が右側面図である。
また、図６（ｃ），（ｄ）は何れもＡ−Ａ断面の要部拡大図であり、（ｃ）が分包帯２０に線引きしている状態、（ｄ）が分包帯２０を外した状態に係るものである。
【００１９】
この分包帯線引装置１０は（図１，図６（ｃ），（ｄ）参照）、基台部１１と案内板部１２と押さえ部１３と筆記具遊挿部１４と牽引輪部１５と駆動部１６と操作部材１７とを備えた卓上式の小型機である。
基台部１１は（図１参照）、分包帯線引装置１０が卓上式なので、脚部が不要で、少し厚めの平板状のものが採用されている。
【００２０】
案内板部１２は、基台部１１の上面に水平状態で装備されている板状体であり、正面視で（図１（ａ）〜（ｃ），図６（ｃ），（ｄ）参照）左から右へ移動させる分包帯２０の長手方向送りを案内するために、手前側と奥側の縁部分が高くなっている（図１参照）。
押さえ部１３は（図１（ａ）〜（ｅ），図６（ｃ），（ｄ）参照）、小さな板体からなり、分包帯の厚みより少し大きな間隙を保って案内板部１２の上方に設けられている。その間隙を正面視で左から右へ分包帯が送られるので、押さえ部１３の左端部が少し上向きに曲がっていて分包帯の間隙への送り込みを円滑化するとともに、押さえ部１３の中央部から右端部にて分包帯の浮き上がりを規制するものとなっている。
【００２１】
筆記具遊挿部１４は（図１，図６（ｃ），（ｄ）参照）、内径が着色用筆記具３０の外径より少し大きい筒状体からなり、基台部１１や案内板部１２より上方に傾斜状態で装備されて、着色用筆記具３０を抜き差し自在な遊挿状態で保持するものとなっている。筆記具遊挿部１４の傾斜は、その中心線１４ａを正面視で鉛直から少し反時計回り方向へ傾けた程度であり（図１（ｂ）参照）、筆記具遊挿部１４が上部を分包帯２０の送り方向で後方に寄せるとともに下部を分包帯２０の送り方向で前方に寄せた状態になっている。
なお、着色用筆記具３０は、インクの乾きにくいものであれば市販品で良く、円柱状本体の一端面の中心から筆先部３１が突き出ており、筆先部３１の下をそれに触れながら分包帯２０が移動することで分包帯２０の上面に色付けがなされるようになっている。
【００２２】
牽引輪部１５は（図１，図６（ｃ），（ｄ）参照）、分包帯２０の送り方向で見て筆記具遊挿部より前方（正面視で右方）に設けられていて、回転時に外周面の下端部の摩擦で分包帯２０を送り方向（正面視で右方）へ牽引するようになっている。その牽引力・摩擦力は、比較的弱く、自由状態の分包帯２０を送ることはできるが、分包帯２０を手や指で摘まんだり分包帯２０が何かに引っ掛かったときには、牽引輪部１５が空回りして又は牽引輪部１５と駆動部１６との伝動部が滑って、分包帯２０がミシン目の所などで破れることなく分包帯２０の長手方向送りが停止するようになっている。また、牽引輪部１５は、分包帯２０のセッティングの容易化のために、指先で押し上げたり図示しない連動部材を動かしたりすることで、上下に移動させることができるようにもなっている。
【００２３】
駆動部１６は（図１参照）、基台部１１の上に設けられていて、押さえ部１３と筆記具遊挿部１４と牽引輪部１５とを支持するとともに、牽引輪部１５の回転駆動を行う電動モータ等を格納している。
操作部材１７は、駆動部１６と共に基台部１１の上に設けられており、その手動操作に応じて電動モータの起動／停止の制御がなされるようになっている。
【００２４】
これら各部１１〜１７のうち案内板部１２と筆記具遊挿部１４と牽引輪部１５との関係について説明を加えると（図１，図６（ｃ），（ｄ）参照）、案内板部１２が牽引輪部１５の下方では欠けており、詳しくは、牽引輪部１５の真下に当たる部分と、そこから分包帯２０の送り方向で後方（正面視で左方）に当たる部分のうち筆記具遊挿部１４の下方に至る部分と、そこから分包帯２０の送り方向で前方（正面視で右方）に当たる部分とが欠けている。しかも、そのような案内板部１２の欠けている所に、筆記具遊挿部１４の中心線１４ａの下方延長線が当たるようになっている（図１（ｂ）参照）。
【００２５】
そのため、着色用筆記具３０を筆記具遊挿部１４に保持させたときに着色用筆記具３０の筆先部３１が案内板部１２に当接して案内板部１２に余計な色が着くということが無い（図１（ｃ），図６（ｃ），（ｄ）参照）。
また（図６（ｄ）参照）、上述の関係に加えて筆記具遊挿部１４の傾斜と案内板部１２の厚みと筆先部３１の長さ等にも関係するが、着色用筆記具３０を筆記具遊挿部１４に遊挿させたときに着色用筆記具３０の下側の肩部３２が案内板部１２に当接して着色用筆記具３０の筆先部３１が基台部１１の上面から離れた状態を維持するようになっている。
【００２６】
この実施例１の分包帯線引装置１０について、その使用態様及び動作を、図面を引用して説明する。図２〜図６は、分包帯線引装置１０の使用状況を時系列で示している。詳述すると、図２は、分包帯線引装置１０の使用に備えて牽引輪部１５を上げた状態を示し、（ａ）が平面図、（ｂ）が縦断面図である。また、図３は、分包帯線引装置１０に分包帯２０をセットした状態を示し、（ａ）が平面図、（ｂ）が縦断面図である。
【００２７】
さらに、図４は、牽引輪部１５を下げて分包帯２０を挟んだ状態を示し、（ａ）が平面図、（ｂ）が縦断面図である。図５は、筆記具遊挿部１４着色用筆記具３０を遊挿して筆先部３１を分包帯２０の上に載せた状態を示す縦断面図である。
また、図６（ａ）〜（ｃ）は、牽引輪部１５を回転させて分包帯２０を長手方向へ送ることで分包帯２０に線引きしている状態を示し、（ａ）が平面図、（ｂ）が縦断面図、（ｃ）が縦断面の要部拡大図である。さらに、図６（ｄ）は、分包帯２０を送り出した後の状態を示す縦断面の要部拡大図である。
【００２８】
この分包帯線引装置１０を使用して分包帯２０に線引きするには、分包帯線引装置１０が半自動のものなので、先ず（図２参照）、作業者が押上操作等にて牽引輪部１５を上げて、牽引輪部１５と基台部１１との間を拡げる。そして（図３参照）、分包帯２０のうち封着されて薬剤のない部分である封着縁部２１を押さえ部１３や牽引輪部１５の方に寄せながら、且つ、分包帯２０のうち薬剤の入っている部分である包袋部２２を押さえ部１３や牽引輪部１５から外しながら、手作業で分包帯２０を案内板部１２に載せることで、分包帯２０の封着縁部２１を押さえ部１３と案内板部１２との隙間および牽引輪部１５と案内板部１２との間に通す。そのとき、なるべく、分包帯２０の線引き開始部（図では封着縁部２１の右端部）を牽引輪部１５の直下に置く。
【００２９】
それから（図４参照）、やはり手動の押下操作等にて牽引輪部１５を下げて、牽引輪部１５と基台部１１との間を狭める。すると、分包帯２０が牽引輪部１５によって軽く押さえられて、筆記具遊挿部１４の下方の分包帯２０が安定するので、作業者が適当な色の着色用筆記具３０を選択して手に取り、それを筆記具遊挿部１４に射し込む（図５参照）。そのとき、筆先部３１を下にして着色用筆記具３０の遊挿し、筆先部３１が分包帯２０の上面に軽く当接したことを確認して、操作部材１７を手動操作する。
【００３０】
そうすると（図６（ａ）〜（ｃ）参照）、分包帯線引装置１０が自動動作を開始する。具体的には、牽引輪部１５が回転し、それに牽引されて分包帯２０が長手方向に送られる。さらに、その自動送りに随伴して分包帯２０の封着縁部２１の上面に着色線２３が描かれる。しかも、そのとき、分包帯２０のうち筆先部３１の当接部位は裏面・下面が案内板部１２だけでなく基台部１１にも接触していないので、色移りが生じない。
こうして、分包帯２０が自動送りされるとともに、その間は連続して速やかに線引きが行われる。しかも、傾いている着色用筆記具３０をその傾斜方向へ引き込むかのように分包帯２０の長手方向送りがなされるので、線引き状態が安定し、綺麗な線が引かれる。
【００３１】
また、図示は割愛したが、分包帯２０の途中で着色線２３の色を変更する場合は、分包帯２０のうち未着色部分を軽く押さえたり摘まんだりして分包帯２０の長手方向送りに抵抗を与えることで簡便に自動送りを一時停止させることができるので、その間に着色用筆記具３０を所望の色のものに差し替えれば良い。
そして（図６（ｄ）参照）、一繋がりの分包帯２０の長手方向送りと線引きが完了すると、筆先部３１と分包帯２０との当接が無くなるため、着色用筆記具３０が自重で下降するが、肩部３２が案内板部１２に当接して着色用筆記具３０の更なる下降は阻止されるので、筆先部３１が基台部１１の上面に到達してそこを汚すということが無い。
【００３２】
［その他］
上記実施例では、案内板部１２の上面が概ね平坦になっているものを図示したが、波板状になっていても良い。
上記実施例では、駆動部１６の電源に言及しなかったが、分包帯線引装置１０は小型で携帯性に優れたもの例えば手押カートに載せて病室等へ運べるものが好ましいので、電源は、病室のコンセント等からとれる商用電力やバッテリー等を用いるものが良い。
【産業上の利用可能性】
【００３３】
本発明の分包帯線引装置は、服用時期毎に纏める分包態様（例えば、朝の分については該当する複数日の分包をそれらだけ一纏めにし、昼の分についても同様に昼の分だけを一纏めにする形）の分包帯への線引きに好適なものであるが、それに適用が限られる訳でなく、服用時期の異なるものが一纏めになった分包帯についても、上述したように長手方向送りの一時停止と着色用筆記具の交換を行うことで、適用することができる。
【符号の説明】
【００３４】
１０…分包帯線引装置、
１１…基台部、１２…案内板部、１３…押さえ部、
１４…筆記具遊挿部、１５…牽引輪部、１６…駆動部、１７…操作部材、
２０…分包帯、２１…封着縁部、２２…包袋部、２３…着色線、
３０…着色用筆記具、３１…筆先部、３２…肩部
【図１】
2017121960.tif 000003
【図２】
2017121960.tif 000004
【図３】
2017121960.tif 000005
【図４】
2017121960.tif 000006
【図５】
2017121960.tif 000007
【図６】
2017121960.tif 000008